(57)【要約】Ｘ線テーブル（１４）上の患者（１２）の周囲にある放射線保護システム（１０）は、Ｘ線テーブル（１４）の周囲に開口部を有する放射線遮蔽壁（２０）と、患者の上方にある放射線遮蔽スクリーン（２２）と、筐体（１００）をＸ線テーブル（１４）に連結する可撓性インターフェイス（２４）とを備える。この壁（２０）により、Ｘ線エミッタから出力された多くの放射線から、作業領域（１６）内の医療担当者が保護される。放射線スクリーン（２２）は、Ｘ線テーブル（１４）の脚部まで収縮でき、患者（１２）と医療担当者の間に介在するように拡張できるように、Ｘ線テーブル（１４）に取り付けられる。インターフェイス（２４）は、壁（２０）に取り付けられた可撓性接合部（３８）と、放射線耐性スカート部（４０）とを有する。このスカート部は、壁（２０）をスクリーン（２２）に連結し、壁の開口部（２６）を覆う。
2004506911.tif 000002
【特許請求の範囲】
【請求項１】
Ｘ線エミッタからの多くの放射線、および医療担当者がＸ線テーブル上の患者に隣接して処置する放射線処置の際に散乱するＸ線から、医療担当者を防御するための放射線保護システムであって、
Ｘ線エミッタから医療担当者を分離し、Ｘ線テーブルの周囲に開口部を有する放射線遮蔽壁と、
Ｘ線テーブルに取り付けられ、患者と医療担当者の間に介在する放射線遮蔽スクリーンと、
前記壁をＸ線テーブルおよびスクリーンに連結し、前記壁の開口部を覆う可撓性放射線耐性スカート部を有する放射性防御用可撓性インターフェイスとを備えたことを特徴とするシステム。
【請求項２】
請求項１に記載のシステムであって、
前記スクリーンは器具ポートを有し、
医療担当者は、この器具ポートを介して、患者に対して処置できることを特徴とするシステム。
【請求項３】
請求項２に記載のシステムであって、
前記器具ポートの周囲の前記スクリーンに取り付けられた放射線遮蔽クロークをさらに有することを特徴とするシステム。
【請求項４】
請求項１に記載のシステムであって、
前記スクリーンは制御ポートを有し、
医療担当者は、この制御ポートを介して、Ｘ線テーブルを制御できることを特徴とするシステム。
【請求項５】
請求項１に記載のシステムであって、
前記スクリーンは、収縮し、拡張できるように、Ｘ線テーブルに移動可能に取り付けられることを特徴とするシステム。
【請求項６】
請求項１に記載のシステムであって、
前記スクリーンは、Ｘ線テーブルに滑動可能に取り付けられた複数のスクリーン支持部と、このスクリーン支持部に取り付けられた放射線耐性隔壁とを有することを特徴とするシステム。
【請求項７】
請求項１に記載のシステムであって、
前記インターフェイスは、前記壁をＸ線テーブルに連結する複数の可撓性接合部を有し、
前記スカート部は、前記接合部に取り付けられ、前記壁をスクリーンに連結することを特徴とするシステム。
【請求項８】
Ｘ線エミッタからの多くの放射線、および医療担当者がＸ線テーブル上の患者に隣接して作業領域で手術器具を用いて処置する放射線処置の際に散乱するＸ線から、医療担当者を防御するための放射線保護システムであって、
放射線遮蔽用筐体であって、作業領域内の医療担当者を包囲し、作業領域に隣接するＸ線テーブルの上方に延び、Ｘ線テーブルの周囲に開口部を含む壁を有する放射線遮蔽用筐体と、
Ｘ線テーブルに取り付けられ、患者と医療担当者の間に介在する放射線遮蔽スクリーンと、
筐体をＸ線テーブルおよびスクリーンに周縁部において連結する放射性防御用可撓性インターフェイスであって、前記壁をＸ線テーブルおよびスクリーンに連結し、前記壁の開口部を覆う可撓性放射線耐性スカート部を有する可撓性インターフェイスとを備えたことを特徴とするシステム。
【請求項９】
請求項８に記載のシステムであって、
前記スクリーンは器具ポートを有し、
医療担当者は、この器具ポートを介して、手術器具を用いて患者に対して処置できることを特徴とするシステム。
【請求項１０】
請求項９に記載のシステムであって、
前記器具ポートの周囲において手術器具を包囲し、前記スクリーンに取り付けられた放射線遮蔽クロークをさらに有することを特徴とするシステム。
【請求項１１】
請求項８に記載のシステムであって、
前記スクリーンは制御ポートを有し、
医療担当者は、この制御ポートを介して、Ｘ線テーブルを制御できることを特徴とするシステム。
【請求項１２】
請求項８に記載のシステムであって、
前記スクリーンは、収縮し、拡張できるように、Ｘ線テーブルに移動可能に取り付けられることを特徴とするシステム。
【請求項１３】
請求項８に記載のシステムであって、
前記スクリーンは、Ｘ線テーブルに滑動可能に取り付けられた複数のスクリーン支持部と、このスクリーン支持部に取り付けられた放射線耐性隔壁とを有することを特徴とするシステム。
【請求項１４】
請求項８に記載のシステムであって、
前記インターフェイスは、筐体をＸ線テーブルに連結する複数の可撓性接合部を有し、
前記可撓性放射線耐性スカート部は、前記接合部に取り付けられ、筐体をスクリーンに連結することを特徴とするシステム。
【請求項１５】
請求項８に記載のシステムであって、
筐体は、作業領域をＸ線テーブルから分離する半分壁を有することを特徴とするシステム。
【請求項１６】
請求項８に記載のシステムであって、
筐体は、手術器具を配置するための棚を有することを特徴とするシステム。
【請求項１７】
請求項８に記載のシステムであって、
筐体は、手術器具を通すためのアクセスパネルを有することを特徴とするシステム。
【請求項１８】
請求項８に記載のシステムであって、
筐体は、手術器具を通すためのチューブポートを有することを特徴とするシステム。
【請求項１９】
Ｘ線エミッタ、およびＸ線テーブル上の患者に隣接する作業領域内で散乱するＸ線から、医療担当者を防御するための方法であって、
放射線遮蔽壁および放射性防御用可撓性インターフェイスを用いて、Ｘ線エミッタから作業領域を分離するステップと、
作業領域に隣接する放射線遮蔽スクリーンを用いて、患者を覆うステップと、
可撓性インターフェイスを用いて、前記壁とスクリーンを連結するステップとを有することをと特徴とする方法。
【発明の詳細な説明】
【０００１】
（発明の技術分野）
本発明は、一般に、放射線遮蔽装置に関し、とりわけ患者の内部画像を生成するために、Ｘ線放射線を用いて医療処置を施すための調整可能な放射線遮蔽装置に関する。
【０００２】
（関連技術）
Ｘ線は、さまざまな医療処置において利用されており、その多くは、患者と直接接触する医療担当者を必要とするため、こうした医療担当者は、放射線に被爆してしまう。こうした理由から、蛍光透視処置において、放射線被爆量を極力抑えるために、固定式または可動式の鉛製シールド（遮蔽体）が用いられている。こうしたシールドは、通常、処置者とＸ線テーブル上の患者との間に介在するように調整されるバーに吊り下げられた放射線遮蔽プレートから構成されている。こうしたシールドを利用しても、医療担当者は依然として放射線に曝される。したがって、こうした処置者は、鉛製の保護服（全面鉛製エプロン、サイロイドカラー、および鉛含有眼鏡）を着用する必要がある。さらに、これらの放射線処置を施す医者は、通常、医療業務として長年に亙って１週間に何日も１日に何時間もこうした処置に従事する。この長期間の蓄積的な被爆により、悪影響を受けることがある。さらに、重い鉛製のエプロンを長期間着用していると、心身に対して悪影響を与えることがあり、相当数の処置者が脊髄の障害を被る。
【０００３】
Ｘ線試験室における放射線に対して保護し、これを遮蔽する先行特許がいくつかある。先行技術における発明によれば、移動可能か、もしくはＸ線テーブルに固定された、処置者とＸ線源の間で調整できる放射線遮蔽材料で形成されたさまざまなシールドが開示されている。これらのシールドに関して、数多くの形状とデザインが開示され、さまざまな材料で構成できることが開示されているが、それらは放射線被爆に対して十分保護するものではなく、医療担当者は、依然として、重くて厄介な鉛製保護服を着用しなければならない。
【０００４】
医者および他の医療担当者は、Ｘ線テーブル上の患者とともに作業するとき、Ｘ線源から直接放射される１次放射線に被爆するか、あるいはＸ線検出器、Ｘ線テーブル、および患者などの対象物で散乱した２次放射線に被爆することがある。放射線を封じ込める筐体と、この筐体とテーブルの間に配置された放射線漏洩防止インターフェイスとともに、Ｘ線テーブル上の放射線シールドを用いて、Ｘ線試験室の作業領域における放射線を十分に低減した先行発明はこれまでない。さらに、アクセスポートを有するシールドを備えた先行発明はなく、アクセスパネル、器具棚、テーブル制御のためのインターフェイスを有する筐体を備えた先行技術はない。
【０００５】
（発明の要約）
上記に鑑みて本発明はなされた。本発明の目的および特徴は、中でも、Ｘ線試験室内のスタッフに対する放射線被爆量を低減することにある。
【０００６】
本発明の第２の目的は、Ｘ線テーブルの周囲の１次放射線を実質的に低減して、医者が過剰な量の放射線を被爆することなく、患者にアクセスして、蛍光透視による医療処置および外科手術を可能にすることである。
【０００７】
本発明の第３の目的は、医者が患者に対して処置するときに、Ｘ線テーブルの周囲の領域における２次放射線を低減することにある。
【０００８】
本発明の第４の目的は、Ｘ線テーブルを包囲する筐体（方形筐体）に対してＸ線テーブルが相対移動するとき、筐体内へ漏洩する放射線を極力抑えることにある。
【０００９】
本発明の第１の態様において、Ｘ線テーブルの周囲にある放射線保護システムは、放射線遮蔽壁と、放射線遮蔽スクリーンと、壁とＸ線テーブルの間に配置された放射線遮蔽可撓性インターフェイスとを備える。この壁により、医者または医療担当者がＸ線テーブル上の患者に隣接して処置する作業領域からＸ線エミッタを分離する。このスクリーンは、患者と医療担当者の間に介在するように、作業領域内のＸ線テーブルに取り付けられ、Ｘ線テーブルを覆う。この可撓性インターフェイスは、壁に取り付けられた接合部を有し、筐体とＸ線テーブルを連結する放射線耐性スカート部を有する。少なくとも１つのアクセスポートが、スクリーンに形成され、少なくとも１つの放射線遮蔽クロークを覆い、このポートを介して通し、患者内に挿入される医療器具を包囲する。
【００１０】
本発明の第２の態様において、Ｘ線テーブルの周囲にある放射線保護システムは、放射線遮蔽筐体と、放射線遮蔽スクリーンと、筐体とＸ線テーブルの間に配置された放射線遮蔽可撓性インターフェイスとを備える。この筐体は、作業領域内にある医者を包囲する。第１の実施形態と同様、このスクリーンは、Ｘ線テーブルに取り付けられ、患者と医療担当者の間に介在し、このインターフェイスは、筐体に取り付けられた接合部と、筐体とＸ線テーブルを連結する放射線耐性スカート部とを有する。
【００１１】
本発明に関するさらなる特徴および利点、ならびに本発明のさまざまな実施形態に関する構造および動作について、添付図面を参照しながら、以下詳細に説明する。
【００１２】
（本発明の実施形態）
同様の符号が同様の構成部品を示す添付図面を参照すると、図１は、放射線保護システム１０であって、このシステムは、Ｘ線テーブル１４上の患者１２を覆い、作業領域１６をＣ字状アーム付きＸ線エミッタ１８から分離する。放射線保護システム１０は、放射線遮蔽壁２０と、Ｘ線テーブル１４上の放射線遮蔽スクリーン２２と、このスクリーン２２およびＸ線テーブル１４を、壁２０に連結する放射線遮蔽用の可撓性インターフェイス２４とを有する。壁２０は、広く知られた放射線遮断材料で構成され、好適には透明であるため、作業領域１６内の医者（図示せず）と患者の間は視覚的に連絡可能である。壁２０をＸ線テーブル１４の上方を移動できるようにするため、壁２０に開口部２６が設けられており、好適には、伸縮可能なキャスタ２８により支持されている。キャスタ２８を拡張させた状態で壁２０を所定位置まで転がすことができ、キャスタを収縮させて壁２０を所定位置に固定する。壁の上部３０は、最も高く延びたＣ字状アーム３２よりも高いことが好ましい。
【００１３】
放射線遮蔽スクリーン２２は、Ｘ線テーブル１４に移動可能に取り付けられている。スクリーン２２は、Ｘ線テーブル１４に取り付けられた複数のスクリーン支持部３４と、この支持部３４に取り付けられた放射線耐性隔壁３６とを有する。拡張した状態にあるとき、スクリーン２２が作業領域１６内にあるＸ線テーブル１４を覆い、患者１２と医者の間には隔壁３６が介在する。可撓性インターフェイス２４は、可撓性接合部３８と、可撓性放射線耐性スカート部４０とを有する。可撓性接合部３８は、壁２０をＸ線テーブル１４に連結し、スカート部４０を保持する。スカート部４０は、壁２０をスクリーン２２に連結し、壁２０の開口部２６をカバーする。医療処置している間、壁２０を移動させることなく、可撓性接合部３８とスカート部４０を延ばして、Ｘ線テーブル１４を移動させることができる。
【００１４】
可撓性インターフェイス２４を壁２０から取り外し、壁を移動させ、さらにスクリーン２２をＸ線テーブル１４の脚部４２まで引き下げることにより、患者１２をＸ線テーブル１４に搬送し、ここから搬送することが支援される。蛍光透視処置を行っている際は、スクリーン２２は、脚部４２から患者の中央腹部まで延ばして、患者の上方にあることが好ましい。隔壁３６は、放射線耐性材料からなる可撓性シートを用いて形成して、スクリーン支持部３４がテーブルに沿ってスライドするとき、スクリーン２２をカーテンのように折り畳むことができる。当業者ならば明白であるように、このスライド機構の代わりに、オーニング（図示せず）のように回転できるスクリーンを有する別の装置を代用することができる。択一的には、このスクリーンは、硬いパネルまたはセグメントを用いて構成することができる。また、このスクリーンセグメントは、アコーディオンのように蝶番式に取り付けてもよいし、たたみ込みふた付き机またはプールカバーのように回転できるように取り付けてもよいし、あるいはヴェニス式ブラインドのように適合して取り付けることもできる。
【００１５】
スクリーン２２は、好適には、少なくとも１つの機器ポート４６を有し、医者は、カテーテルをこのポート４６に通し、カテーテルを患者１２内に挿入したり、手術器具（図示せず）を用いて患者に処置を施すことができる。カテーテルを患者１２内に挿入する蛍光透視処置においては、患者の大腿導管付近の股間領域の上方にあるポート４６を介して患者にアクセスできるようにしておくことが好ましい。各アクセスポート４６は、カテーテル周囲のスクリーン２２に取り付けられた放射線遮蔽クローク４８により覆われている。このクローク４８は、各ポート４６を介して散乱する放射線から、Ｘ線テーブル１４の周りで処置する医者を保護することを支援する。またスクリーン２２は、制御ポート５０を有していてもよく、これによりＸ線テーブル１４の制御部（図示せず）との接続が可能になり、同様に、Ｘ線テーブル１４は、スクリーン２２とは別体または同体のユーザインターフェイスを有していてもよい。Ｘ線テーブル１４の制御部にアクセスすることにより、医者は、処置を施している間のテーブルの位置を調整することができる。同様に、医者は、Ｃ字状アーム３２およびカテーテルシステムモニタ５４の位置および方向を制御することができる。他の手術器具、壁２０、スクリーン２２、インターフェイス２４、およびクローク４８は、滅菌処理しておいてもよい。Ｘ線テーブル１４からスクリーン２２を取り外し、壁２０からインターフェイスを取り外す代わりに、もしくはこれに加えて、隔壁３６およびスカート部４０を廃棄処分可能な滅菌パッド（図示せず）で覆ってもよい。
【００１６】
放射線保護システム１０を所定位置に設置したとき、作業領域１６内にいる医者および医療担当者は、Ｘ線エミッタ１８、および放射線処置を施している間に散乱するＸ線から防御される。放射線遮蔽壁２０は、Ｘ線エミッタ１８から作業領域１６を分離して、Ｘ線エミッタ１８からの多くの１次放射線、およびＣ字状アーム３２で散乱し得る２次放射線に対して、医者が被爆しないように保護する。放射線遮蔽スクリーン２２は、医者と患者１２の間に介在して、患者１２およびＸ線テーブル１４で散乱する多くのＸ線に対して医者を保護する。放射線遮蔽可撓性インターフェイス２４は、壁２０の開口部２６を覆い、壁をＸ線テーブル１４およびスクリーン２２に連結し、Ｘ線テーブル１４が移動するとき、多くの放射線が作業領域１６内に漏洩しないように保護する。
【００１７】
図２は、第２の実施形態による放射線保護システム１０の組立て前の構成部品を示す。第１の実施形態と同様、放射線保護システム１０は、放射線保護スクリーン２２と、放射線遮蔽用の可撓性インターフェイス２４とを有する。第２の実施形態においては、放射線保護システム１０は、放射線遮蔽筐体１００を有し、可撓性インターフェイス２４がＸ線テーブル１４の周縁部に取り付けられている。図３および図４に示すように、システム１０が組み立てられたとき、筐体１００は作業領域１６を包囲する。筐体１００全体は、広く知られた放射線遮断材料で構成することができ、運搬および保管のために、反復して分解し、再び組み立てられるように構成することができる。放射線遮蔽筐体壁１０２は、医者とＣ字状アーム付きＸ線エミッタ２６の間に介在する。筐体壁１０２は、構造上および機能上、第１の実施形態の放射線遮蔽壁２０と同様のものである。筐体１００内においては、作業領域１６は、２人の医者が患者に対して処置するのに十分な空間を有する。半分壁１０４は、Ｘ線テーブル１４から作業領域を分離し、筐体１００は、作業領域１６に隣接するＸ線テーブル１４の上方および周囲に延びる。
【００１８】
第１の実施形態の壁２０と同様に、筐体１００は、これをＸ線テーブル１４の上方の所定位置に配置したときに収縮できるキャスタ２８により支持されることが好ましい。筐体１００は、少なくとも１つのドア１０６を有する。筐体１００は、作業領域１６とＸ線試験室の間で機器を搬送するためのアクセスパネル１０８を有していてもよい。また筐体１００は、患者１２およびＸ線テーブル１４からＸ線実験室内の他の構成部品に至るまで、カテーテル、チューブ、および他の手術器具（図示せず）を通すチューブポート１１０を有していてもよい。筐体１００は、換気および滅菌を最適化するための独自の換気システムを有し、医療器具のための棚１１２を有していてもよい。筐体１００の後側にある棚１１２は、汎用性のある作業テーブルとして機能し、Ｘ線テーブル１４の上方に吊り下げられた棚１１２は、医者または他の医療担当者１１４が素早く機器を取り出すことを可能にするプラットフォームとして機能し得る。第１の実施形態と同様、筐体１００は、蛍光透視画像または他の生理学的画像を表示するためのモニタ５４を有していてもよく、筐体１００は、医療担当者１１４と検査室のそれ以外の人との間の情報交換を最適化するために、オーディオシステムを有していてもよい。
【００１９】
第２の実施形態において、可撓性インターフェイス２４の各角部１１６は、可撓性接合部３８を介して筐体１００に取り付けられている。第１の実施形態と同様、可撓性放射線耐性スカート部４０は、接合部３８の間において保持され、壁１０２の開口部１１８を覆い、壁１０２をＸ線テーブル１４およびスクリーン２２に連結する。また第２の実施形態によれば、スカート部４０は、Ｘ線テーブル１４を周縁部において筐体１００に連結する。第１の実施形態と同様、可撓性の接合部３８およびスカート部４０により、処置する間、Ｘ線テーブル１４を移動させることができる。放射線スクリーンを延ばしたり引っ込めたりするのは、第１の実施形態と同様にして行い、患者１２をＸ線テーブルに搬送し、これから搬送するのも同様にして行う。第２の実施形態においては、筐体１００を移動させ、スクリーン２２をＸ線テーブル１４の脚部４２まで収縮させられるように、可撓性インターフェイス２４をその周縁部において取り外す必要がある。
【００２０】
第１および第２の実施形態は、Ｘ線エミッタ１８と、Ｘ線テーブル１４上の患者１２に隣接した作業領域１６で作業する際に散乱するＸ線とから医者および他の医療担当者１１４を防御するための同じ手法を用いる。具体的には、Ｘ線防御壁２０，１０２およびＸ線防御用の可撓性インターフェイス２４を用いて、Ｘ線エミッタから作業領域を分離し、作業領域に隣接する放射線遮蔽スクリーン２２を用いて患者を覆い、そして可撓性インターフェイスを用いて、壁とスクリーンを連結することにより、医者は多くのＸ線放射線から防御される。壁２０，１０２および可撓性インターフェイス２４は、Ｘ線エミッタ１８から作業領域を分離する。可撓性インターフェイス２４は、可撓性接合部３８，１１６を介して、Ｘ線テーブル１４を壁２０，１０２に取り付け、可撓性放射線耐性スカート部４０を介して、スクリーン２２を壁２０，１０２に連結する。第２の実施形態は、さらにＸ線テーブル１４に隣接する半分壁１０４を用いて、作業領域１６を分離し、スカート部４０を用いて、Ｘ線テーブル１４を周縁部において筐体１００に連結する。
【００２１】
これまで説明したように、本発明のいくつかの利点が実現され、達成されることが明らかであろう。これらの実施形態は、本発明の原理を最もうまく説明するために選択され、開示されたものであって、当業者ならば、特定の用途に適したさまざまな変形を有する広範な実施形態において、本発明を最善に利用することができる。
【００２２】
本発明の精神から逸脱することなく、ここで開示し、図示した構成および方法に対して、さまざまな変形を加えることができるので、上記明細書に含まれ、添付図面に図示したすべての内容は、例示的なものであって、限定するものではないと意図されている。例えば、第１の実施形態における壁２０は、作業領域１６を部分的に包囲するように、湾曲していてもよいし、蝶番を付けてもよい。別の例として、筐体１００は、Ｘ線テーブル１４の脚部４２の上方まで延びるように幅広く、筐体１００内の作業領域１６を拡大させてもよい。このように、本発明の範囲および範疇は、上述の例示的な実施形態に限定して解釈されるべきではなく、ここに添付するクレームおよびその均等物に応じて定義される。
【００２３】
この明細書に統合され、その一部をなす添付図面は、本発明の実施形態を図示し、明細書とともに本発明の原理を説明するものである。
【図面の簡単な説明】
【図１】図１は、本発明の放射線保護システムの斜視図である。
【図２】図２は、択一的な実施形態による組立て前の状態にある放射線保護システムの斜視図である。
【図３】図３は、組立て後の状態にある図２に示す放射線保護システムの斜視図である。
【図４】図４は、図３に示す放射線保護システムの平面図である。
【符号の説明】
１０　放射線保護システム、１２　患者、１４　Ｘ線テーブル、１６　作業領域、１８　Ｃ字状アーム付きＸ線エミッタ、２０　放射線遮蔽壁、２２　放射線遮蔽スクリーン、２４　放射線遮蔽用の可撓性インターフェイス、２６　開口部、２８　伸縮可能なキャスタ、３０　壁の上部、３２　Ｃ字状アーム、３４　スクリーン支持部、３６　放射線耐性隔壁、３８　可撓性接合部、４０　放射線耐性スカート部、４２　脚部、４６　機器ポート、４８　放射線遮蔽クローク、５０　制御ポート、５４　カテーテルシステムモニタ、１００　放射線遮蔽用の筐体、１０２　筐体壁、１０４　半分壁、１０８　アクセスパネル、１１０　チューブポート、１１２　棚。
【国際公開パンフレット】
2004506911.tif 000003
2004506911.tif 000004
2004506911.tif 000005
2004506911.tif 000006
2004506911.tif 000007
2004506911.tif 000008
2004506911.tif 000009
2004506911.tif 000010
2004506911.tif 000011
2004506911.tif 000012
2004506911.tif 000013
2004506911.tif 000014
2004506911.tif 000015
2004506911.tif 000016
2004506911.tif 000017
2004506911.tif 000018
【国際調査報告】
2004506911.tif 000019